(57)【要約】本発明は、子供が衣類として装着でき、自分で歩くときに十分に自由な子供の動きを可能にし、装着中は支持を行う軽量で小型かつ密着した装着具（１）に関する。装着具は子供を保持するためにキャリング・ストラップ（１４）に、又は、例えば、安全用装着具として乳母車又はいすに、迅速に結合できる。さらに、装着具（１）は子供が一人歩きしたがるときに歩行又は安全用の装着具として使用しうる。
2005500104.tif 000002
【特許請求の範囲】
【請求項１】
子供のための装着具（１）で、その装着具（１）が、後方部分（３）、前方部分（４）及び２個のサイド部分（７）を付けたヨーク（２）から成り、そのサイド部分（７）が、長さ調節が可能なサイド・ストラップ（８）により前方部分（４）と結合して、前記部分が座席要素を構成し、後方部分（３）の上部後方部分から前方部分（４）までの長さ調節が可能な肩掛けストラップ（１１）が付いていて、後方部分（３）もその外側領域のサイドの先端部にアイのような締結具（１３）を有していて、キャリング・ストラップの締結、又は、子供が着座できるような締結を可能にすることを特徴とする装着具。
【請求項２】
装着具（１）の肩掛けストラップ（１１）に、前方部分（４）の対応するロッキング・デバイス（６）と切離し可能に締結するためのロッキング・デバイス（１２）を設けていることを特徴とする請求項１に基づく装着具。
【請求項３】
装着具（１）のサイド・ストラップ（８）に、前方部分（４）の対応するロッキング・デバイス（１０）と切離し可能に締結するためのロッキング・デバイス（１２）を設けていることを特徴とする請求項１から２までに基づく装着具。
【請求項４】
装着具（１）の肩掛けストラップ（１１）に、例えば、案内用又は安全用のストラップと締結するために、締結具例えばループを設けていることを特徴とする請求項１から３までに基づく装着具。
【請求項５】
さらに、その装着具（１）が、例えば、フック・ロックのようなキャリング・ストラップ（１４）の端部で適合する締結具（１８）により装着具（１）の締結具（１３）と、取外し及び結合を迅速に行える長さ調節が可能なキャリング・ストラップ（１４）を含むことを特徴とする請求項１から４までに基づく装着具。
【請求項６】
子供がひとりで歩くとき、キャリング・ストラップ（１４）が取付けられたとき、又は、幼児用椅子、ベビー用揺り椅子、乳母車、ショッピング・カート、自転車の座席、キック式そり又はそりのような座席に締結されているとき、その装着具（１）をその子供が衣類のように着用できることを特徴とする請求項１から５までに基づく装着具。
【請求項７】
子供がひとりで歩くとき、キャリング・ストラップ（１４）が取付けられたとき、又は、幼児用椅子、ベビー用揺り椅子、乳母車、ショッピング・カート、自転車の座席、キック式そり又はそりのような座席に締結されているとき、子供にとって衣類として機能することを特徴とする請求項１から４までに基づく装着具の用法。
【発明の詳細な説明】
【技術分野】
【０００１】
本発明は衣類として子供が装着し、かつ、種々の目的に使用しうる子供のためのキャリア(carrier)に関する。
【背景技術】
【０００２】
乳児のためのベビー・キャリア用装着具、及び、幾分年長の子供たちにも用いるチャイルド・キャリア用装着具のような、子供を保持するための種々の補助具は、今日入手可能である。ベビー・キャリア又はチャイルド・キャリアは、多くの場合、乳母車又はベビーカーの代替として、特に、乳母車が適さない地形で用いられている。さらに、ベビー又はチャイルドのキャリア特にチャイルド・キャリアは乳母車のようにかさばらず、使用しないときの輸送中に必要なスペースが少ない。ベビー及びチャイルドのキャリアは、子供をまっすぐに座らせて、見回したり、子供の付き添いに密に接触できるように、積極的に活動に参加するように役立っている。
【０００３】
既存のベビー及びチャイルドのキャリアに伴う問題は、ベビー又はチャイルドのキャリアを使用する前に子供を乗せて、その後、ベビー・キャリア又はチャイルド・キャリアを使用しないときは子供又は背負う人の両方から離さなければならないことである。現在のキャリアでは、子供を座らせ、又は、横にしてから、そのキャリアを子供から取外し、又は、取付けるために、又は、子供が装着具内に入る前に装着具をキャリアに部分的に取付け、その後、長期間締結していなければならない、かつ、子供をキャリアから取出すために逆の手順が行われる。チャイルド・キャリアでは、子供は例えば地面に立てたキャリア内に子供を座らせてから、子供を安全用装着具で締めて、最後にチャイルド・キャリアを注意深く背負う人の背中に持上げる。チャイルド・キャリアから子供を取出すために、同じ手順を逆の順番で繰り返さなければならない。これは、特に、子供が頻繁に自分で少し歩いてから、短時間背負われて、次ぎに又少し歩きたがる等の場合に、面倒で、時間がかかる。さらに、現在のベビー・キャリアはかさばっていて、子供はキャリアを装着したまま動くことができない。なぜなら、これらのベビー・キャリアの目的は搬送中に子供を快適にすることだけである。
【０００４】
さらに、椅子又は乳母車から子供が落ちるのを防止する子供用安全装着具が市販されている。これらの装着具は子供が長期間着用できる。それらは乳母車又は椅子に、又は、子供が一人歩きするとき付添人が保持しうる安全ストラップ(strap)に締結できる。多くの場合、これらの装着具は腹部の又は肩掛けのストラップのみを有していて、子供が座席をよじ登るのを防止するために、横方向及び上方の動きのみを止めている。これらの装着具はその装着具から子供が下にずり落ちるのを阻止していない。これだけを防止するために、一部の安全装着具は脚の間にストラップを設けているが、これは安全上の理由だけで、子供を持上げるようには設計されていない。
【０００５】
それゆえ、子供が長時間着用し、複雑な取付け、取外しをせずに、キャリア、安全装着具又は歩行用手綱として使用しうるキャリア用装着具のニーズが存在する。
【発明の開示】
【課題を解決するための手段】
【０００６】
本発明は、子供が衣類として装着でき、自分で歩くときに十分に自由な子供の動きを可能にし、装着中は支持を行う軽量で小型かつ密着した装着具により、上記の問題を解決している。、ベビー用装着具は、子供を保持するために保持ストラップに、又は、安全用装着具として例えば乳母車又はいすに保持するために、迅速に結合できる。さらに、ベビー用の装着具は子供が一人歩きしたがるときに歩行又は安全用装着具として使用しうる。
【発明を実施するための最良の形態】
【０００７】
ベビー・キャリア１は後方部分３、前方部分４及び２個のサイド部分７を付けたヨーク(yoke)２から成る。そのうち、サイド部分７は長さ調節が可能なサイド・ストラップ８により前方部分４と結合していて、前記の要素が小さなズボンの形で座席要素を構成する。さらに、代替案として、長さ調節が可能なサイド・ストラップ８のそれぞれにロッキング・デバイス(locking device)９が設けられているので、対応するロッキング・デバイス１０を含む前方部分４に切離し可能に結合する。ロッキング・デバイスははめ込み型ロックの形としうる。
【０００８】
後方部分３の上部後方部分から２本の肩掛けストラップが伸びていて、前方部分４に長さ調節が可能なように取付けられる。好ましくは、その肩掛けストラップ１１にはロッキング・デバイス１２が設けられ、前方部分４に取付けられた対応するロッキング・デバイス６に、好ましくは、はめ込み型ロックの形で取付けられている。
【０００９】
図２に示すように、キャリング・ストラップ(carrying strap)１４の締結のために、又は、子供のための他の座席に締結するために、別の締結具１３が後方部分２の外側領域のサイドの先端部に、ここではアイ(eye)の形で取付けられている。
【００１０】
図３に示すように、パッド(pad)付き肩掛けストラップ１５の本実施例では、キャリング・ストラップ１４は長さ調節が可能なストラップ１６が付いていて、その両端にはスナップ・フック(snap hook)１８で締結をするために金輪１７を有している。本実施例では肩掛けストラップ１５は、子供を載せる両方のショルダー・ボール(shoulder ball)周辺に十分適合させるためにキャップ(cap)のように特に広く、かつ、アーチ型になっている。肩掛けストラップ１５には小物又は不使用時のベビー用装着具１を保管するためのポケットを有している。ポケットはジッパー又はVelcro(R)により閉じられる。
【００１１】
そのキャリア用装着具のひとつの利点は、キャリング・ストラップ１４を用いるベビー・キャリアとして使用しうること、及び、子供は必ずしもキャリング・ストラップ１４を外さずに、希望すれば地面に座ることも、一人で歩くこともできる。キャリング・ストラップ１４は子供の歩行時の歩行用手綱又は安全チェーン(chain)として、又、子供が疲れたとき、又は、不適当な地形では子供を持上げるのに使用できる。代わりに、肩掛けストラップ１１には例えばループの形の締結具を設けて、装着具を歩行用装着具（図示せず）として用いるときにキャリング・ストラップ１４をこれらに締結できる。キャリング・ストラップ１４は非常に容易、かつ、短時間でベビー用装着具から取り外せて、子供が完全に自由に歩くことができ、車両内の安全シート内に置くことができ、又は、例えば、（家庭、喫茶店又はレストランでの）幼児用椅子、ベビー用揺り椅子、乳母車、ショッピング・カート、自転車の座席、キック式そり又はそり等のような種々の座席内に締結具により締結しうる。
【００１２】
子供の付添人がそばにいて持つ必要がある唯一の物は使用しないときのキャリング・ストラップ１４である。代わりに、フック・ロック(hook lock)１８を一緒に結合することにより、子供の付添人の肩又は腰の回りに吊すこともでき、この方法で両手を自由にできる。
【図面の簡単な説明】
【００１３】
【図１】前から見たキャリア用装着具を示す。
【図２】後ろから見たキャリア用装着具を示す。
【図３】図１のキャリア用装着具のための肩ストラップを示す。
【国際公開パンフレット】
2005500104.tif 000003
2005500104.tif 000004
2005500104.tif 000005
2005500104.tif 000006
2005500104.tif 000007
2005500104.tif 000008
2005500104.tif 000009
2005500104.tif 000010
2005500104.tif 000011
2005500104.tif 000012
2005500104.tif 000013
【国際調査報告】
2005500104.tif 000014
2005500104.tif 000015
2005500104.tif 000016